(57)【特許請求の範囲】
【請求項１】
先細り外観形状をなす筒状の本体部分を有し、該本体部分の基部に接合するフランジを操作部として本体部分そのものを軸心に沿って往復移動させることによって内部通路を通して送給された内容物をノズルチップ、発泡部材を経て先端開口から噴出させるフォーマタイプの注出ノズルであって、
前記本体部分の外側壁に、前記ノズルチップと前記発泡部材の相互間に外気を導入して内容物の発泡化を促進する少なくとも一つの貫通開口と、一端が前記貫通開口とつながり、他端を前記フランジに向けて伸延させた溝部を設けたことを特徴とする注出ノズル。
【請求項２】
先細り外観形状をなす筒状の本体部分を有し、該本体部分の基部に接合するフランジを操作部として本体部分そのものを軸心に沿って往復移動させることによって内部通路を通して送給された内容物をノズルチップ、発泡部材を経て先端開口から噴出させるフォーマタイプの注出ノズルであって、
前記注出ノズルは、前記内容物を収納する容器の口頚部に取り付けられ、その天面において起立するガイド筒、及び該ガイド筒を取り囲んで起立する筒体を有するベースキャップに対して往復移動可能に設けられるものであり、
前記フランジの下端に、該ガイド筒に対して摺動可能に連係する内側垂下筒と、該筒体に対して摺動可能に連係する外側垂下筒とが設けられ、該ガイド筒の外側壁と該内側垂下筒の内側壁との相互間に形成される隙間及び該筒体の内側壁と該外側垂下筒の外側壁との相互間に形成される隙間により該本体部分の基部にて入側端を形成し、前記ノズルチップと前記発泡部材の相互間に外気を導入して内容物の発泡化を促進する少なくとも一つの外気導入経路を設けたことを特徴とする注出ノズル。
【発明の詳細な説明】
【技術分野】
【０００１】
本発明は、点鼻薬を投与するのに適した注出ノズルに関するものであり、該点鼻薬を簡単な仕組みでもって確実に発泡化させて噴出させようとするものである。
【背景技術】
【０００２】
鼻孔を通して直接患部に薬剤を供給する点鼻薬用の容器としては、刺激による不快感を最小限に留めるために薬剤を霧状にして噴出させる噴霧器が普通使用されている（例えば、特許文献１参照）。
【０００３】
ところで、近年では、薬剤による刺激をより一層軽減するため、及び薬剤を患部に保持させるために薬剤を発泡化して噴出させることができる噴出器の開発が望まれているが、このような要望に対応した噴出器は、それ自体の構造の複雑化、大型化が避けられないという不具合が懸念される。
【先行技術文献】
【特許文献】
【０００４】
【特許文献１】特開２００４−８４４号公報
【発明の概要】
【発明が解決しようとする課題】
【０００５】
本発明の課題は、簡単な仕組みで内容物を確実に発泡化して噴出させることができる注出ノズルを提案するところにある。
【課題を解決するための手段】
【０００６】
本発明は、先細り外観形状をなす筒状の本体部分を有し、該本体部分の基部に接合するフランジを操作部として本体部分そのものを軸心に沿って往復移動させることによって内部通路を通して送給された内容物をノズルチップ、発泡部材を経て先端開口から噴出させるフォーマタイプの注出ノズルであって、
前記本体部分の外側壁に、前記ノズルチップと前記発泡部材の相互間に外気を導入して内容物の発泡化を促進する少なくとも一つの貫通開口と、一端が前記貫通開口とつながり、他端を前記フランジに向けて伸延させた溝部を設けたことを特徴とする注出ノズルである。
【０００７】
また、本発明は、先細り外観形状をなす筒状の本体部分を有し、該本体部分の基部に接合するフランジを操作部として本体部分そのものを軸心に沿って往復移動させることによって内部通路を通して送給された内容物をノズルチップ、発泡部材を経て先端開口から噴出させるフォーマタイプの注出ノズルであって、
前記注出ノズルは、前記内容物を収納する容器の口頚部に取り付けられ、その天面において起立するガイド筒、及び該ガイド筒を取り囲んで起立する筒体を有するベースキャップに対して往復移動可能に設けられるものであり、
前記フランジの下端に、該ガイド筒に対して摺動可能に連係する内側垂下筒と、該筒体に対して摺動可能に連係する外側垂下筒とが設けられ、該ガイド筒の外側壁と該内側垂下筒の内側壁との相互間に形成される隙間及び該筒体の内側壁と該外側垂下筒の外側壁との相互間に形成される隙間により該本体部分の基部にて入側端を形成し、前記ノズルチップと前記発泡部材の相互間に外気を導入して内容物の発泡化を促進する少なくとも一つの外気導入経路を設けたことを特徴とする注出ノズルである。
【発明の効果】
【０００８】
注出ノズルの本体部分の外側壁に、ノズルチップと発泡部材（メッシュリング等）との相互間に外気を導入する貫通開口を設けたため、構造の複雑化、大型化を伴うことなしに内容物の発泡化が促進される。
【０００９】
本発明の注出ノズルは鼻孔に挿入して噴出させるのに好適であり、この場合、貫通開口が鼻孔の粘膜等に密着することがあるが、本体部分の外側壁に形成された貫通開口から操作部として使用するフランジに向けて伸延する溝部が外気の導入経路を形成することとなるため、貫通開口が鼻孔の粘膜等に密着しても外気が該溝部を通して効率的に導入されることとなり内容物の確実な発泡化が可能となる。
【００１０】
本体部分の基部にて入側端を形成し、本体部分の内側壁部と前記内部通路を形成する中空ステムの外側壁部との相互間に経路を形成してノズルチップと発泡部材との相互間に外気を導入する場合には、貫通開口を設けなくても内容物の発泡化を促進することが可能となり、加えて該貫通開口からの異物の侵入を回避することができる。
【図面の簡単な説明】
【００１１】
【図１】本発明にしたがう注出ノズルの実施の形態を示した図である。
【図２】貫通開口のみを形成した注出ノズルの具体的構造を示した図である。
【図３】本発明にしたがう注出ノズルの他の実施の形態示した図である。
【発明を実施するための最良の形態】
【００１２】
以下、図面を参照して本発明をより具体的に説明する。
図１は本発明にしたがう注出ノズルの実施の形態を、ポンプ機構を備えた噴出器とともに示した図である。
【００１３】
図における符号１は、例えば点鼻薬等の薬剤を内容物として収納する容器、２は容器１の口頚部１ａに固定保持された噴出器である。
【００１４】
噴出器２は、シリンダー内でピストンを往復移動させて容器内の内容物を吸引、加圧、圧送するポンプ機構２ａと、このポンプ機構２ａを容器１の口頚部１ａにおいて吊り下げ保持するベースキャップ２ｂ（ねじ止めでもよいしアンダーカット係合によるものでもよい。）から構成されている。
【００１５】
また、３は、ポンプ機構２ａのピストンに連係するとともに該ポンプ機構２ａの駆動によって吸引、加圧、圧送された内容物を内部通路Ｓを通して送給する中空ステム（図示しない弾性手段により常に図面上方に向けて弾性支持されている。）、４は中空ステム３の上端部に配置され、内部通路Ｓを通して送給された内容物を噴射するためのノズルチップ、５はノズルチップ４の噴出口の上面に空間ｔをおいて配置された発泡部材である。この発泡部材５は環状体５ａと、この環状体５ａの下端に一体的に設けられ該空間（外気と内容物を混在させる空間を形成する隙間）ｔを形成する複数本の脚部５ｂ（ノズルチップ４又は中空ステム３の上端に当接して位置決めされる。）と、該環状体５ａの上端開口に配置されるメッシュ５ｃからなる。
【００１６】
６は貫通路を有し、中空ステム３、ノズルチップ４及び発泡部材５をその内側に納めるように配置された注出ノズルである。この注出ノズル６は、先細り外観形状をなす筒状の本体部分６ａを有するものであり、本体部分６ａの基部には操作部として機能する楕円形状をなすフランジ６ｂ（円形やその他の形状でもよい。）が設けられ、その先端開口６ｃから発泡化された内容物が噴出される。注出ノズル６のフランジ６ｂの下端には、間隔をおいて配置された同心二重配置になる垂下筒６ｄ、６ｅ（内側垂下筒６ｄ、外側垂下筒６ｅ）が設けられている。
【００１７】
発泡部材５は、本体部分６ａの先端開口６ｃの直下に位置する小径部６ａ1の内壁に嵌合しており、中空ステム３の上部は本体部分６ａの大径部６ａ2に嵌合しており、中空ステム３の長手方向中央部に一体的に設けられたフランジ部３ａは環状凹部６ａ3に連係して抜け止め保持されている。なお、発泡部材５は、先端開口６ｃが形成された注出ノズル６の頂壁の下面に当接するように配置されている。
【００１８】
７はベースキャップ２ｂの天面において起立して中空ステム３をガイドするガイド筒、８はベースキャップ２ｂの天面においてガイド筒７を取り囲んで起立する筒体である。ガイド筒７の外側壁には注出ノズル６の垂下筒（内側垂下筒）６ｄの内側壁が摺動可能に連係しており、筒体８の内側壁には垂下筒（外側垂下筒）６ｅの外側壁が摺動可能に連係していて、これらの連係により注出ノズル６のぐらつきを防止している。
【００１９】
また、９は本体部分６ａの先端部近傍域の外側壁に設けられた貫通開口である。この貫通開口９はノズルチップ４と発泡部材５との相互間に設けられた空間ｔに外気を導入してノズルチップ４より噴射された内容物を外気と混在させて該内容物の発泡化を促進する。貫通開口９は、対向位置にそれぞれ一つ若しくは複数設けることができる。
【００２０】
さらに、１０は、一端が貫通開口９とつながり、他端をフランジ６ｂに向けて延伸する溝部である。この溝部１０は、そのＡ−Ａ断面を示すように間隔をおいて複数本並列に設けることができるもの（１本でもよい。）であって、該貫通開口９が鼻孔の粘膜に密着して閉塞された状態にあっても該溝部１０を通して外気が空間ｔへと導入されることになる。この溝部１０は、フランジ６ｂに到達するように伸延させてもよいし、本体部分６ａの中間位置で終焉するように設けてもよい。
【００２１】
かかる構成になる注出ノズル６によって容器１内の内容物を噴出させるには、注出ノズル６のフランジ６ｂに指をあてがい、該注出ノズル６を軸心Lに沿って往復移動させてポンプ機構２ａを駆動させればよい。そうすると、吸引管１１を通して容器１内の内容物がポンプ機構２ａのシリンダー内に吸引されるとともに該シリンダー内で加圧、圧縮され、圧縮された内容物が中空ステム３の内部通路Ｓを通して送給、その上端部に設けられたノズルチップ４から噴出され、その際、空間ｔ内で外気との混合が促進されるとともに発泡部材５を経て泡となって注出ノズル６の先端開口６ａから鼻孔内へと噴出されることとなる。
【００２２】
上記構成の注出ノズル６は、構造の複雑化、大型化を伴うことがなく、発泡化を促進させながら内容物を噴出させることが可能であり、薬剤の噴出させた際の刺激をより一層緩和することができる。
【００２３】
図２に示すような注出ノズルにあっては、貫通開口９が鼻孔の粘膜に密着することがあった場合に該貫通開口９から直接外気を導入することができず、内容物の効率的な発泡化が困難となることも想定されるが、本発明においては、溝部１０を通して空間ｔ内に外気が導入されるため、内容物の効率的な発泡化が可能となる。
【００２４】
図３は本発明にしたがう注出ノズル６の他の実施の形態を示したものであり、図における符号１２は中空ステム３のフランジ部３ａに形成された切欠部、１３は中空ステム３の上部（本体部分６ａの大径部６ａ2に嵌合する部位）に設けられた切欠部である。これら切欠部１２、１３は、一つ若しくは複数設けることが可能であり、ガイド筒７の外側壁と注出ノズル６の垂下筒（内側垂下筒）６ｄの内側壁との相互間に形成される隙間及び筒体８の内側壁と垂下筒（外側垂下筒）６ｅの外側壁との相互間に形成される隙間により注出ノズル６の本体部分６ａの基部にて外気導入用の入側端を形成し、この入側端から導入された外気を、切欠部１２、１３を経て空間ｔに送給することが可能となり、これにより内容物の発泡化を促進することが可能となる。
【００２５】
上掲図３に示した注出ノズル６は、上掲図1に示したような貫通開口９を設けることなしに外気を空間ｔに導入することができるものであり、構造の複雑化や大型化を伴うことなしに内容物の確実かつ安定した発泡化が可能となる。とくにこの構造のものは貫通開口９が不要なため、該貫通開口９からの異物の侵入を回避できる利点がある。
【００２６】
入側端を形成する隙間は、各筒の内径あるいは外径を適宜変更することにより形成することができるが、ガイド筒７の外側壁か注出ノズル６の垂下筒（内側垂下筒）６ｄの内側壁の何れか一方に溝部あるいは凹部を設け、筒体８の内側壁か垂下筒（外側垂下筒）６ｅの外側壁の何れか一方に溝部あるいは凹部を設けてもよく、この点についてはとくに限定されない。
【産業上の利用可能性】
【００２７】
内容物を確実に発泡化して噴出させることが可能であり、かつ、構造の簡素化されたコンパクトな注出ノズルが提供できる
【符号の説明】
【００２８】
１  容器
１ａ  口頚部
２  噴出器
２ａ  ポンプ機構
２ｂ  ベースキャップ
３  中空ステム
４  ノズルチップ
５  発泡部材（メッシュリング）
５ａ  環状体
５ｂ  脚部
５ｃ  メッシュ
６  注出ノズル
６ａ  本体部分
６ｂ  フランジ
６ｃ  先端開口
６ｄ  垂下筒（内側垂下筒）
６ｅ  垂下筒（外側垂下筒）
７  ガイド筒
８  筒体
９  貫通開口
１０  溝部
１１  吸引管
１２  切欠部
１３  切欠部
Ｓ  内部通路
ｔ  空間
【図１】
0005602520.tif 000002
【図２】
0005602520.tif 000003
【図３】
0005602520.tif 000004